(57)【要約】      （修正有）【課題】側板に印刷された商品名等を容易に視認して収容された商品等を正確に判別することを可能にし、商用箱を商品ケースとしてそのまま利用することができ、簡易な作業で商品を陳列することができる収容箱を提供する。【解決手段】側板、前側板及び後側板の少なくともいずれかの側板に、その上部を所要の幅に亘って内側に向かって傾斜する傾斜板３１ｂを設ける。傾斜板の表面には、収容箱１内に収容される商品の名称、販売者名、バーコード等が印刷される。【選択図】図１
0003190958.tif 000002
【実用新案登録請求の範囲】
【請求項１】
所要の大きさで、矩形の底板における対向する側縁に一対の側板、前側縁に前側板、後側縁に後側板をそれぞれ起立形成した収容箱において、
上記側板、前側板及び後側板の少なくともいずれかの側板は、その上部を所要の幅に亘って内側に向かって傾斜する傾斜板を設けたことを特徴とする収容箱。
【請求項２】
請求項1において、
収容箱の上面を覆う大きさで、矩形の蓋板を設けた収容箱。
【請求項３】
請求項２において、
蓋板の下部は、収容箱の内幅に一致する長手方向長さで、かつ収容箱の内部高さに一致するように幅狭に形成した収容箱。
【請求項４】
請求項１乃至３のいずれかにおいて、
上記傾斜板及び蓋板の内、少なくとも傾斜板の表面に収容する商品を判別するための文字、記号等を印刷した収容箱。
【請求項５】
請求項１において、
上記側板は、底板の対向する一側縁にて所定の高さでそれぞれ起立する第１外板と、各第１外板の上端にて所定の幅で水平方向内側へ延出する第１頂面板と、各第１頂面板の内側端にて第１外板と並行に垂下する第１内板からなる、
上記前側板は、底板の前端縁にて所定の高さで起立する起立板と、該起立板の上端にて内側へ所要の角度で傾斜する傾斜板からなる第２外板と、該第２外板の上端にて所定の幅で水平方向内側へ延出する第２頂面板と、第２頂面板の内側端にて第１外板と並行に垂下する第２内板からなる、
上記後側板は、底板の後端縁にて所定の高さでそれぞれ起立する第３外板と、該第３外板の上端にて所定の幅で水平方向内側へ延出する第３頂面板と、該第３頂面板の内側端にて第３外板と並行に垂下する第３内板からなる、
収容箱。
【請求項６】
請求項５において、
上記第１乃至第３内板の下部には、係合片をそれぞれ設けると共に底板には、それぞれの係合片を係合する係合孔を設けた収容箱。
【請求項７】
請求項５において、
各第１外板の前端部には、第２外板の起立板及び傾斜板に対応する直線部及び傾斜部を設けた収容箱。
【請求項８】
請求項５乃至７のいずれかにおいて、
段ボールシート（紙製及び合成樹脂製を含む。）により形成した収容箱。
【請求項９】
請求項１，２，３，４のいずれかにおいて、
合成発泡樹脂により一体成形した収容箱。
【考案の詳細な説明】
【技術分野】
【０００１】
本考案は、商品を収容して輸送する際や、商品を販売する際の商品ケースとして使用する、所謂トロ箱と称される収容箱に関するものである。
【背景技術】
【０００２】
上記したトロ箱として使用する収容箱としては、例えば特許文献１に示すように矩形の底板1を中心としてそれぞれの対向縁に一対の外側板と一対の外妻板とを設け、かつ外側板の外側に連接折線を介して内側板を、また外妻板の外側には連接折線を介して内妻板を連接し、外側板の内側に内側板を折込み、また外妻板の内側に内妻板を折込んで底板の周囲に二重側壁からなる第１及び第２側板を起立形成するように構成した段ボール箱が知られている。そして該収容箱にあっては、外側板及び妻板の少なくともいずれか一方の外面に商品名が印刷され、収容商品の判別を可能にしている。
【０００３】
しかし、上記した収容箱にあっては、第１及び第２側板がほぼ垂直に起立しているため、該収容箱が目線高さより下方に位置する場合には、外板の外面に印刷された商品名等を視認することが困難になり、収容された商品を正確に判別できない問題を有している。
【０００４】
また、収容箱に収容された商品を陳列する際には、商品を取り出して並べ直すと共に商品名等を記載した商品札を作成する必要があり、取出し作業、並べ直し作業、商品札の作成作業に手間がかかり、作業性が悪かった。
【先行技術文献】
【特許文献】
【０００５】
【特許文献１】特開２００２−１６６９８９号公報
【考案の概要】
【考案が解決しようとする課題】
【０００６】
解決しようとする問題点は、ほぼ垂直に起立する第１及び第２側板の少なくともいずれかに印刷された商品名等を容易に視認することが困難で、収容された商品等を正確に判別できない点にある。また、収容箱内の商品を陳列する際には、商品を並べ直すと共に商品名等を記載した商品札を作成する必要があり、商品陳列する際の作業性が悪い点にある。
【課題を解決するための手段】
【０００７】
本考案は、所要の大きさで、矩形の底板における対向する側縁に一対の側板、前側縁に前側板、後側縁に後側板をそれぞれ起立形成した収容箱において、上記側板、前側板及び後側板の少なくともいずれかの側板は、その上部を所要の幅に亘って内側に向かって傾斜する傾斜板を設けたことを最も主要な特徴とする。
【考案の効果】
【０００８】
本考案の収容箱は、第１及び第２側板の少なくともいずれかに印刷された商品名等を容易に視認して収容された商品等を正確に判別することを可能にする。また、商用箱を商品ケースとしてそのまま利用することができ、簡易な作業で商品を陳列することができる。
【図面の簡単な説明】
【０００９】
【図１】収容箱の全体を示す斜視図である。
【図２】収容箱の展開図である。
【図３】図１におけるＡ−Ａ線縦断面図である。
【図４】図１におけるＢ−Ｂ線縦断面図である。
【図５】収容箱の上面に蓋板を取り付けた状態を示す斜視説明図である。
【図６】図５における矢示Ｃ-Ｃ線縦断面図である。
【図７】収容箱を商品ケースとして使用する際の説明図である。
【考案を実施するための形態】
【００１０】
側板、前側板及び後側板の少なくともいずれかの側板の上部を所要の幅に亘って内側に向かって傾斜する傾斜板を設けたことを最良の実施形態とする。
【実施例１】
【００１１】
以下、本考案の実施形態を図に従って説明する。
図２は、本考案に係る所謂トロ箱と称される収容箱１の組み立て前においては、一枚の段ボールシート（神性及び合成樹脂製を含む。）、クラフトシート、合成樹脂シート等のシートを以下のように打抜き形成して構成される。紙製の段ボールシート、クラフトシートとしては、表裏面に合成樹脂フィルムをコーティングした防水シートとしてもよい。
【００１２】
上記シートの中央部には、矩形の底板３が区画され、該底板３における左右側の相対する対向縁には、側板の一部を構成する第１外板５が罫線７により折返し可能にそれぞれ一体形成される。
【００１３】
上記第１外板５の図示する前端縁は、所定の長さで図示する左右方向へ延出する直線部５ａ及び該直線部５ａの図示する左右端から後方へ適宜の角度で傾斜する傾斜部５ｂがそれぞれ形成される。また、第１外板５の図示する後端縁には、所定の長さで図示する前後向へ延出する折返し片５ｃが罫線９により折返し可能にそれぞれ一体形成される。
【００１４】
上記第１外板５の図示する左右縁には、所定幅の第１頂面板１１が罫線１３により折返し可能にそれぞれ一体形成される。また、第１頂面板１１の図示する左右端縁には、第１外板５の幅と一致し、側板の一部を構成する第１内板１５が罫線１７により折返し可能にそれぞれ一体形成される。該第１内板１５の図示する前端縁及び後端縁には、折返し片１９・２１が罫線２３・２５により折返し可能にそれぞれ一体形成される。
【００１５】
なお、図示する前方に位置する各折返し片１９の先端部には、掛止め部１９ａが相対してそれぞれ形成され、後述する組立て時に先端部相互を重ね合わせた際に、互いに掛止めさせる。
【００１６】
上記罫線７に対応する底板３及び第１外板５の境界部には、図示する前後方向へ適宜の間隔をおいた２個の係合孔２７がそれぞれ形成されると共に第１内板１５における図示する左右端縁には、２個の係合片２９が上記係合孔２７に対して係合可能にそれぞれ一体形成される。
【００１７】
上記底板３における図示する前端縁には、前側板の一部を構成する第２外板３１が罫線３３により折返し可能に一体形成される。該第２外板３１は、上記底板３に対して起立する直線部５ａと一致する幅の起立板３１ａと上記傾斜部５ｂに一致する幅の傾斜板３１ｂが罫線３５により折返し可能に一体形成される。
【００１８】
上記傾斜板３１ｂの表面には、収容箱１内に収容される商品の名称、販売者名、バーコード等が印刷される。
【００１９】
上記第２外板３１の図示する前端縁には、適宜幅の第２頂面板３７が罫線３９により折返し可能に一体形成され、該第２頂面板３７の図示する前端縁には、上記第１外板５及び第１内板１５と一致する幅で、前側板の一部を構成する第２内板４１が罫線４３により折返し可能に一体形成される。
【００２０】
上記底板３の図示する前部には、図示する左右方向へ適宜の間隔をおいた２個の係合孔４５が上記罫線３３から上記傾斜部３１ｂの傾斜角度に対応する間隔をおいた内側に形成される。また、上記第２内板４１の図示する前端縁には、２個の係合片４７が上記係合孔４５に対して係合可能に一体形成される。
【００２１】
上記底板３の図示する後端縁には、上記第１外板５、第１内板１５及び第２内板４１と一致する幅で、後側板の一部を構成する第３外板４９が罫線５１により折返し可能に一体形成される。該第３外板４９の図示する後端縁には、上記第２頂面板３７と一致する幅の第３頂面板５３が罫線５５により折返し可能に一体形成される。該第３頂面板５５の図示する後端縁には、第３外板４９と一致する幅で、後側板の一部を構成する第３内板５７が罫線５９により折返し可能に一体形成される。
【００２２】
上記第３内板５７の図示する左右端縁は、上記した第１頂面板１１に応じた幅の切欠き部６１が形成される。また、上記罫線５１に対応する底板３及び第３外板４９の境界部には、図示する左右方向へ適宜の間隔をおいた２個の係合孔６３がそれぞれ形成されると共に第３内板４９における図示する後端縁には、２個の係合片６５が上記係合孔６３に対して係合可能にそれぞれ一体形成される。
【００２３】
各第１頂面板１１には、係止片６７がそれぞれの長手方向に対して適宜の間隔をおいて打抜き形成される。これら係止片６７は、組み立てられた収容箱１の上面に対して後述する蓋板７１を、その四周端縁が第１頂面板１１、３７、５５の上面に載置されるとように取り付けられた際に、側端縁に係止して位置ずれを規制する。
【００２４】
上記蓋板７１は、収容箱１と同一の段ボールシートで、該収容箱１の上面を覆う大きさの矩形に形成される。そして蓋板７１の図示する前部で、長手方向両端部には、収容箱１の外幅と内幅の差に応じた幅で、該収容箱１の深さに応じた長さの切欠き部７３が形成される。また、蓋板７１の上面には、収容箱１内に収容される商品の名称、販売者名、バーコード等が印刷される。
【００２５】
次に、上記段ボールシートは、収容箱１の組み立て以下のようにして収容箱１に組み立てられる。
【００２６】
先ず、底板３の図示する左右端側に位置する各第１外板５を罫線７にてそれぞれ起立するように折返した後に、各第１外板５の上端にて第１頂面板１１を罫線１３にて水平方向内側へそれぞれ折返す。また、各第１外板５の図示する後端部の各折返し片５ｃを罫線９にて内側へそれぞれ折返す。
【００２７】
次に、各第１頂面板１１に対してそれぞれの第１内板１５を罫線１７にて第１外板５と並行して垂下するようにそれぞれ折返しながらそれぞれの係合片２９を対応する係合孔２７に係合して掛け止めする。また、各第１内板１５に対し、図示する前端側の折返し片１９を罫線２３にて内側へそれぞれ折返しながら先端部の各掛止め部１９ａ相互を掛け止して第１内板１５を垂下状態に保持する。
【００２８】
更に、各第１内板１５の図示する後端側の折返し片２１を罫線２５にて内側へそれぞれ折返して第１外板５の折返し片５ｃに重ね合わせる。
【００２９】
次に、上記状態にて底板３の図示する前端縁に対して第２外板３１を罫線３３にて起立するように折返しながらその起立板３１ａに対して傾斜板３１ｂを罫線３５にて第１外板５の傾斜部５ｂに一致して傾斜するように折返す。
【００３０】
次に、第１外板３１の上端にて第２頂面板３７を罫線３９にて水平方向内側へ折返した後、該第２頂面板３７に対して第２内板４１を罫線４３にて相互が掛止めされた折返し片１９・２１の内側に沿って垂下するように折返しながら係合孔４５に係合片４７を係合して掛け止めする。
【００３１】
これにより第２外板３１は、起立板３１ａに対して傾斜板３１ｂが内側へ所要の角度で傾斜した面を有した状態に保持される。
【００３２】
次に、上記状態にて底板３の図示する後端縁に対して第３外板４９を罫線５１にて起立するように折返した後に該第３外板４９の上部に対して第３頂面板５３を罫線５９にて水平方向内側へ折返す。この状態にて第３頂面板５３に対して第３内板５７を罫線５９にて第３外板４９との間に重ね合わされた折返し片５ｃ・２１が位置して垂下するように折返しながら係合片６５を係合孔６３に係合して垂下状態を保ち、収容箱１に組み立てられる。
【００３３】
なお、第３内板５７の長手方向両端部切欠き部６１が形成されているため、垂下した各第１内板１５間に対する第３内板５７の突入を可能にしている。また、各第１外板５に対してそれぞれの第１頂面板１１を、また第３外板４９に対して第３頂面板５３を水平方向内側へ折返した際に、係止片６７・６９は、それぞれの頂面板１１・５３から打抜かれて起立状態にされる。（図１、図３、図４参照）
【００３４】
上記のように組み立てられて収容箱１に対して所要の商品が収容されると、該収容箱１の上面に対して蓋板７１を起立した係止片６７内に位置するように取り付けて位置ずれを規制しながら図示しない結束バンドにより固定する。（図５及び図６参照）
【００３５】
一方、上記した収容箱１を商品ケースとして直接使用する場合には、商品が収容された収容箱１から取り外した蓋板７１を、切欠き部７３が設けられた側他方にして収容ケース１の後部内に差し込む。その際、蓋板７１の下部に切欠き部７３が設けられているため、相対して垂下する第１内板１５間に差し込んで挟持させて起立状態を保ち、表面に印刷された商品名等の視認性を高めることができる。（図７参照）
【００３６】
また、第２外板３１における傾斜板３１ｂが内側に向かって傾斜しているため、収容箱１が視線より下方に位置する場合であっても、表面に印刷された商品名等の視認性を高めて商品を確実に判別することができる。
【００３７】
本実施例は、収容箱１をそのまま商品ケースとして商品を陳列することができ、商品の並べ直し作業や商品札の作成作業を省いて陳列作業を効率化することができる。また、収容箱１が視線より下方に陳列される場合であっても、傾斜板３１ｂに印刷された商品名等を容易に視認して商品等を確実に判別することができる。
【００３８】
上記説明は、一枚の段ボールシートを折返したりして収容箱１を構成したが、合成発泡樹脂により成形した収容箱であっても、前側板の上部が内側に向かって傾斜する傾斜板を設けた構成であれば、本考案の技術的範囲に含まれる。
【符号の説明】
【００３９】
１  収容箱
３  底板
５  側板の一部を構成する第１外板
５ａ  直線部
５ｂ  傾斜部
５ｃ  折返し片
７  罫線
９  罫線
１１  第１頂面板
１３  罫線
１５  側板の一部を構成する第１内板
１７  罫線
１９・２１  折返し片
１９ａ  掛け止め部
２３・２５  罫線
２７  係合孔
２９  係合片
３１  前側板の一部を構成する第２外板
３１ａ  起立板
３１ｂ  傾斜板
３３  罫線
３５  罫線
３７  第２頂面板
３９  罫線
４１  前側板の一部を構成する第２内板
４３  罫線
４５  係合孔
４７  係合片
４９  後側板の一部を構成する第３外板
５１  罫線
５３  第３頂面板
５５  罫線
５７  後側板の一部を構成する第３内板
５９  罫線
６１  切欠き部
６３  係合孔
６５  係合片
６７  係止片
７１  蓋板
７３  切欠き部
【図１】
0003190958.tif 000003
【図２】
0003190958.tif 000004
【図３】
0003190958.tif 000005
【図４】
0003190958.tif 000006
【図５】
0003190958.tif 000007
【図６】
0003190958.tif 000008
【図７】
0003190958.tif 000009